(57)【要約】【課題】どうして、磁気の吸収は陽子は陽子でなければ吸収できないのか。核磁子とはどうゆうものか。ボーア核磁子、ボーア磁子を求める公式は何を意味しているのか。【解決手段】磁気の吸収とは光子の付加である。光子の付加は近い軌道のものでなければできない。それで、陽子の光子の軌道と、中性子の光子の軌道の差を求めて、その差が大きければ光子は付加できない。核磁子とは原子核の最外殻のラブの周囲の光子で、外側の光子である。この光子がスピンを作り、核磁気モーメントを作っている。ボーア核磁子の公式はｅｈ／４πｍｐｃであり、ボーア磁子の公式はｅｈ／４πｍｅｃである。ｍｐ／ｈは陽子の中の光子の数である。ｍｅ／ｈは電子の中の光子の数である。陽子と電子は光子でできている。４πｃは２πｒｃ×２の事である。ｒは極小であるので省略している。×２はラブとラブの周囲の光子である。【選択図】　　図１
2004032996.tif 000002
【特許請求の範囲】
【請求項１】
同一軌道上のラブは同じ方向に公転している。電子のラブは同じ方向に公転している。陽子と中性子のラブは同じ方向に回転している。同じ方向とは、右回りなら右回りだけ、左回りなら左回りだけの事である。ランダムに回転している。
【請求項２】
同一軌道上のラブの周囲を回転している光子は同じ方向に回転している。上向きなら上向き、下向きなら下向きに回転している。
【請求項３】
核スピン×２は原子核の最外殻を公転するラブの数である。
【請求項４】
核磁気モーメントは核磁子の何倍の磁気であるかを示す。最外殻に何個の核子があるかは核スピンによって解る。それで最外殻に存在する核子が基準である核磁子の何倍の磁気（＝光子）であるかを示している。更に、核磁気モーメントは最外殻を公転するラブの周囲を回転する光子の外側の光子の軌道である。外側の光子が核磁気として観察されている。核磁気モーメントとは原子核の最外殻の軌道を公転するラブの周囲を回転する外側の光子（＝磁気）である。
【請求項５】
最外殻を公転するラブの周囲を回転する光子の回転が１／２のスピンを作り、外側の光子によって磁気は作られる。光子が回転し、更にラブと共に公転する事によってモーメントは作られる。
【請求項６】
軌道には２種類ある。１つはラブが公転する軌道である。１つは光子が回転する軌道である。
【請求項７】
核磁子とは原子核の最外殻のラブの周囲を回転している外側の光子である。
核磁子（５．０５０８×１０−２７Ｊ／Ｔ）である光子の軌道は約２．１８×１０−１５ｍである。Ｔは秒である。核磁子は２．１８×１０１５ｍの軌道を１秒間回転すると５．０５０８×１０−２７Ｊの磁気エネルギーを作る光子である。核磁子は光子の磁気であり、これはラブの周囲を光子が回転していて、外側の光子が磁気となっている事を示している。
【請求項８】
ボーアの核磁子＝ｅｈ／４πｍｐｃの解明。
ｍｐ＝９３８ＭｅＶ＝９３８×１．６０２２×１０−１３Ｊ＝１．５×１０−１３Ｊ＝陽子は光子のエネルギー＝陽子は全て光子である。
ｈ＝光子１個のエネルギー。その光子はラブの周囲を回転している。
ｍｐ／ｈ＝陽子は光子のエネルギー／光子１個のエネルギー＝陽子の光子の数＝９３８×１．６０２２×１０−１３Ｊ／（６．６２６２×１０−３４Ｊ）≒２．２７×１０２３個。陽子は２．２７×１０２３個の光子のネルギーであり、２．２７×１０２３個の光子でできている。
本発明者は２００２年６月１日に特許提出した「素粒子六」に、陽子の中に存在する光子の数と、光子１個の仕事エネルギーに関して提出した。４πｃ＝光子が１秒間に走る（回転する）距離×２。半径についてはとっても小さいので省略している。
それで、核磁子＝ｅｈ／４πｃｍｐ＝＋１／（２．２７×１０２３個の光子×２πｃ×２）＝＋１／（光子２．２７×１０２３個が１秒間に走る（回転する）距離×２）＝＋１／（光子２．２７×１０２３個が１秒間に行う仕事×２）この×２の意味はもう１つはラブの仕事である。ラブのエネルギー＝ラブの周囲の全ての光子のエネルギー＝陽子のエネルギー　です。ラブのエネルギーが陽子のエネルギーに加算されていないのは、ラブの軌道は１０−３１ｍであり極小であるから、どのような金属にぶつけても通過してしまうからです。このボーアの式からラブの存在が証明されました。それで、核磁子＝＋１／（光子２．２７×１０２３個が１秒間に行う仕事＋ラブが１秒間に行う仕事）
核磁子は（陽子の光子が１秒間に行う仕事＋ラブが１秒間に行う仕事）分の１の仕事を行っている光子です。仕事の内容は磁気を作る仕事です。核磁子は光子の基準単位です。核磁子は１秒間に５．０５０８×１０−２７Ｊの仕事を行う光子です。その軌道は２．１８×１０−１５ｍです。
陽子のラブは、軌道が２．１８×１０−１５ｍの光子を引き留めています。その光子のエネルギーは５．０５０８×１０−２７Ｊです。陽子のラブのエネルギーの５．０５０８×１０−２７Ｊ／（１．５０２９×１０−１０Ｊ）≒３．３６×１０−１７倍のエネルギーを引き留めています。
ボーアの核磁子の公式から、本発明者の２つの考えが正しい事が証明できた。１つは陽子は光子でできている事。１つは陽子にはラブが存在する事である。
【請求項９】
ボーア磁子＝ｅｈ／４πｍｅｃの解明。
ｍｅ＝０．５１ＭｅＶ＝０．５１×１．６０２２×１０−１３Ｊ＝８．１７１２２×１０−１４Ｊ＝電子は光子のエネルギー＝電子は全て光子である。
ｍｅ／ｈ＝電子は光子のエネルギー／光子１個のネルギー＝電子の光子の数＝０．５１×１．６０２２×１０−１３Ｊ／６．６２６２×１０−３４Ｊ≒１．２３３×１０２０個。電子は１．２３３×１０２０個の光子エネルギーであり、１．２３３×１０２０個の光子でできている。
ｅｈ／（ｍｅ×２πｃ×２）＝−１／（光子１．２３３×１０２０個×１秒間に走る（回転する）距離×２）＝−１／（光子１．２３３×１０２０個が１秒間に行う仕事×２）＝−１／（光子１．２３３×１０２０個が１秒間に行う仕事＋ラブが１秒間に行う仕事）
ボーア核子は（光子１．２３３×１０２０個が１秒間に行う仕事＋ラブが１秒間に行う仕事）分の１の仕事を行っている光子です。仕事の内容は磁気を作る仕事です。
ボーア磁子は光子の基準単位です。ボーア磁子は１秒間に９．２７４×１０−２４Ｊの仕事をする光子です。その軌道は１．１×１０−４１Ｊ÷（９．２７４×１０−２４Ｊ）＝１．１８６×１０−１８（ｍ）です。
電子のラブは１．１８６×１０−１８ｍの軌道の光子を引き留めています。その光子のエネルギーは９．２７４×１０−２４Ｊです。電子のラブのエネルギーの９．２７４×１０−２４Ｊ÷８．１８７×１０−１４Ｊ＝１．１３３×１０−１０倍のエネルギーを引き留めています。
ボーア磁子の公式から、本発明者の２つの考えが正しい事が証明できた。１つは電子は光子でできている事。１つは電子にはラブが存在する事である。
【請求項１０】
磁波とは一番外側の軌道を回転している光子が排斥し放出した光子である。
【請求項１１】
核磁気モーメントから、最外殻を公転しているラブの周囲を回転している光子のうちで、外側を回転している光子の軌道の大きさを求める式は、核磁気モーメント÷（核スピン×２）×２．１８×１０−１５ｍです。
【請求項１２】
１Ｈの核磁気モーメントは２．７９２８５であり、一番外側を回転している光子の軌道は６．０８８４１３×１０−１５ｍです。これは１Ｈの場合、ラブの数が１つよりないので引き合うラブが無いからです。ラブの公転軌道が大きいので、光子の回転軌道も大きくなる。核磁子の光子の軌道は２．１８×１０−１５ｍであるから、１Ｈの光子の軌道は核磁子の光子の軌道の６．０８８４１３÷２．１８＝２．７９２８５倍大きい。最外殻の光子の軌道が大きい事はラブの公転の軌道も大きいことです。１Ｈのラブの軌道が核磁子の２．７９倍も大きいのはラブが１つだけであるからである。
核磁子の異常モーメントができる原因はこのためです。
【請求項１３】
磁気の放出とは光子の排斥であり、磁気の吸収とは光子の付加である。光子の付加が陽子と陽子でなければできず、中性子と中性子でなければできない。これは陽子と中性子の光子のエネルギーが違うからです。光子は同じエネルギーのもの同士でなければ付加できないからです。
例えば、６Ｌｉの場合、核スピンは１、核磁気モーメントは０．８２２０５である。最外殻の軌道には陽子のラブが１個、中性子のラブが１個である。７Ｌｉの場合、核スピンは３／２で、核磁気モーメントは３．２５６４４である。最外殻の軌道には陽子のラブが１個中性子のラブが２個である。この事から、中性子１個の核磁気モーメントは２．４３４３９であり、この核磁気モーメントを作っている光子の軌道は５．３０６９７０２×１０−１５ｍである。陽子１個の核磁気モーメントは−１．６１２３４であり、この核磁気モーメントを作っている光子の軌道は−３．５１４９０１２×１０−１５ｍである。この軌道の差は５．３０６９７０２×１０−１５−−３．５１４９０１２×１０−１５ｍ＝８．８２１８７１４×１０−１５ｍである。このように、陽子の光子の軌道と、中性子の光子の軌道の大きさはかけ離れているので、お互い付加できない。
【請求項１４】
原子核の軌道は原子核の大きさをＲとしたら、０．５Ｒの軌道は原子核の最外殻の軌道である。なぜなら、陽子のラブと、中性子のラブが公転する軌道の大きさと光子が回転する軌道の大きさは等しいからである。この事に関しては、本発明者は２００２年１１月７日に特許出願した。原子核の最外殻の軌道には核スピン×２個のラブが存在する。核スピンが１／２の場合、０．５Ｒの軌道には１個のラブが存在するので、その軌道のエネルギーは１．５×１０−１０Ｊである。核スピンが３／２の場合、０．５Ｒの軌道には３個のラブが存在するので、その軌道エネルギーは３×１．５×１０−１０Ｊである。核スピンがＡの場合、０．５Ｒの軌道エネルギーは２Ａ×１．５×１０−１５Ｊである。
【請求項１５】
原子核と原子の軌道エネルギーは原子核の０．５Ｒの軌道エネルギーを基準としてできる。図４に原子核の大きさが１０−１５ｍであり、スピンが１／２の場合の原子核と原子の軌道エネルギーを示す。
【請求項１６】
原子核の最内殻の軌道は元素の核子数をＢとすると１÷２Ｂ×１０−１５ｍである。最内殻の核子数はＢより少ないので、原子核の最内殻の軌道はこれより大きい。
【請求項１７】
量子飛躍する時、電子が原子核に落下しない理由は、電子のラブに一定のエネルギーがあり、それ以上にならないからである。電子のラブは自分のエネルギーに合った軌道を公転するからです。
【発明の詳細な説明】
【０００１】
【発明の属する技術分野】
この発明は核スピン、核磁気モーメント、原子核と原子の軌道エネルギーに関する。
【０００２】
【従来の技術】
従来、核スピンと核磁気モーメントは何を意味しているのか、なんでできるか定かでない。ボーア核磁子とボーア磁子の公式の解明がなされていない。核磁子の異常モーメントができる理由も定かでない。陽子と陽子との間でどのように磁気の放出と吸収がおこなわれるのかそのメカニズムは理解されていない。原子核と原子の軌道エネルギーは理解されていない。量子飛躍する時、電子はどうして原子核に落下しないか、その理由は理解されていない。
【０００３】
【発明が解決しようとする課題】
１　ラブの公転方向はどめようになっているか。
２　ラブの周囲を回転する光子の回転方向はどのようになっているか。
３　核スピンは何を意味しているか。
４　核磁気モーメントは何を意味しているか。
５　何によって核スピンは作られ、何によって核磁気モーメントは作られるか。
６　軌道には２種類有る事について。
７　核磁子は何を意味しているのか。
８　ボーア核磁子の公式の解明。
９　ボーア磁子の公式の解明。
１０　磁波とは何か。
１１　核磁気モーメントから、最外殻の軌道を公転するラブの周囲を回転する光子のなかで、一番外側を回転する光子の軌道を求める式について。
１２　核磁子の異常モーメントができる理由。
１３　陽子と陽子、中性子と中性子でなければ磁気の吸収ができない事の証明。
１４　原子核の軌道エネルギーについて。
１５　原子核と原子の軌道エネルギーはどのようになっているのか。
１６　原子核の最内殻の軌道の大きさはどのようになっているのか。
１７　量子飛躍する時、電子が原子核に落下しないのはどうしてか。
【０００４】
【課題を解決するための手段】
本発明者は２００３年４月１７日特許出願したスピン及び原子の軌道エネルギーに於いて、電子、陽子、中性子のスピンが１／２である理由を提示した。それで核スピンができる理由は、原子核の最外殻に存在しているラブの数によってできると理解した。１／２核スピンを作るためにほぼ同じ核磁気モーメントができることから、同じものがスピンと核磁気モーメントを作っていると理解した。それは最外殻のラブの周囲を公転している光子の回転である。光子の回転はラブの公転に引きずられるので、公転する。それで、磁気は回転している。磁気モーメントとはこの光子の回転である。各元素の核磁気モーメントから光子の回転軌道を計算し、各元素の原子核の大きさがわかる。各元素の原子核の大きさは２×光子の回転軌道である。原子核の１／２の大きさが最外殻の大きさである。それで、各元素の光子の回転軌道の大きさが最外殻のラブの公転軌道の大きさである。磁気の放出とは光子の排斥であり、磁気の吸収とは光子の付加である。磁気の吸収は陽子と陽子の間又は中性子と中性子の間でなければできない。これは陽子の光子と中性子の光子の軌道が離れているからである。核磁気モーメントから光子の軌道を算出し、証明する。ボーアの核磁子とボーア磁子は本発明者の考えが正しい事を証明している。即ち、陽子も電子も光子でできている。陽子のエネルギーも電子のエネルギーも光子のエネルギーである。それで、光子の数が計算できる。そして、光子の仕事が計算できる。光子の仕事は磁気を作る仕事である。基準となる光子がボーアの核磁子とボーア磁子である。
【０００５】
【発明の実施態様】
１　ラブの公転方向はどのようになっているか。
同一軌道のラブの公転方向は同じ方向である。電子のラブは同じ方向に公転している。陽子と中性子のラブも同じ方向に公転している。同じ方向とは右回りなら右回り、左回りなら左回りだけの事です。ランダムに回転している。
２　ラブの周囲を公転する光子の回転方向はどのようになっているか。
同一軌道を公転しているラブの周囲を回転している光子は同じ方向に回転している。陽子の光子も中性子の光子も同じ方向に回転している。同じ方向とは、上向き回転なら上向き回転、下向き回転なら下向き回転だけです。
３　核スピンは何を意味しているのか。
スピンはラブの周囲を光子が回転することによってできる。１つの核子が１／２スピンを作るのであるから、核スピンを作っている核子の数は２×核スピン個である。最外殻には２×核スピンの核子が存在する。核スピンは最外殻に存在する核子の数を示している。
４　核磁気モーメントは何を意味しているか。
核磁気モーメントは核磁子の倍数である。それで、最外殻に基準となる核子が何個存在してどれだけの磁気（＝光子）が回転しているかが理解できる。核磁気モーメントは最外殻に存在する核子達のラブの周囲を回転する磁気（＝光子）を示している。核磁気モーメントは最外殻の軌道を公転するラブの周囲を回転する光子のうちで、一番外側の光子の回転軌道を示している。この光子の磁気が原子核の外に現れているということである。核磁気モーメントとは最外殻の軌道を公転するラブの周囲を回転する一番外側の光子の軌道を回転する光子（＝磁気）である。
５　何によって核スピンは作られ、何によって核磁気モーメントは作られるか。
最外殻の軌道を公転するラブの周囲を回転する外側の光子の回転によって核スピンは作られる。Ｎ個のラブが公転していたらその周囲を回転する外側の光子はＮ倍となる。それで、スピンはＮ×１／２＝Ｎ／２となる。
核磁気モーメントは最外殻の軌道を公転するラブの周囲を回転する一番外側の光子（＝磁気）である。
６　軌道には２種類有ることについて。
軌道には２種類有る。一つはラブの軌道である。一つは光子の軌道である。
７　核磁子は何であるか。
核磁子は５．０５０７８６６×１０−２７Ｊ／Ｔである。このエネルギーの軌道はエネルギーから軌道を求める式によって、１．１×１０−４１Ｊ÷（５．０５０７８６６×１０−２７Ｊ）≒２．１８×１０−１５ｍ約２．１８×１０−１５ｍである。なお光子のエネルギーと軌道に関しては２００２年８月２８日に提出した。核磁子のエネルギーは２．１８×１０−１５ｍの軌道を回転している光子のエネルギーである。それで、核磁子の磁気は一番外側を回転している光子である。
核磁子は原子核の最外殻のラブの周囲を回転している光子のうちで、一番外側の軌道を公転している光子である。
この事によって、磁気は光子であることが証明できる。
８　ボーア核磁子の公式の解明。
ボーアの核磁子＝ｅｈ／４πｍｐｃである。図１のように、陽子は光子の回転体であるから、陽子のエネルギーは光子のエネルギーである。このことについて、本発明者は２００２年５月１７日に特許提出している。それで、陽子のエネルギー÷光子１個のエネルギー＝陽子全ての光子のエネルギー÷光子１個のエネルギー＝陽子の光子の数　です。陽子全ての光子はラブの周囲を回転する光子です。ｍｐ／ｈ＝陽子全ての光子のエネルギー÷光子１個のエネルギー＝陽子の数＝９３８ＭｅＶ／ｈ＝９３８×１．６０２２×１０−１３Ｊ／６．６２６２×１０−３４Ｊ≒２．２７×１０２３個である。
４πｃ＝光子が１秒間に走る（回転する）距離×２　です。半径はとっても小さいので省略している。
核磁子＝ｅｈ／４πｍｐｃ＝＋１／（光子２．２７×１０２３個×２πｃ×２）＝＋１／（光子は２．２７×１０２３個×光子が１秒間に走る距離×２）＝＋１／（光子２．２７×１０２３個が１秒間に回転する距離×２）＝＋１／（光子２．２７×１０２３個が１秒間に行う仕事×２）
×２の意味は光子のほかに陽子の中にはラブが存在するからです。ラブのエネルギーは陽子のエネルギーと同じです。このこといついては、本発明者は２００２年７月２６日に、特許出願している。
ラブのエネルギー＝陽子のエネルギー＝ラブの周囲を回転する光子のエネルギーです。陽子のラブの自転軌道は約１０−２８ｍであり、とてもちいさいので、金属にぶつけても通過してしまいます。それで、検出できません。このことについては、本発明者は２００２年８月３日に特許出願している。
核磁子＝＋１／（光子２．２７×１０２３個が１秒間に行う仕事×２）＋１／（光子２．２７×１０２３個が１秒間に行う仕事＋ラブが１秒間に行う仕事）です。
核磁子は（光子２．２７×１０２３個が１秒間に行う仕事＋ラブが１秒間に行う仕事）分の１の仕事をする光子である。この仕事は５．０５０８×１０−２７Ｊです。５．０５０８×１０−２７Ｊの光子の軌道は、１．１×１０−４１Ｊ÷（５．０５０８×１０−２７Ｊ）＝２．１８×１０−１５ｍです。仕事の内容は磁気を作ることです。光子の軌道とエネルギーに関しては、本発明者は２００２年８月２８日特許出願している。
即ち、核磁子は５．０５０８×１０−２７Ｊのエネルギーの光子であり、その回転軌道は２．１８×１０−１５ｍです。
陽子のラブはこの光子を引き付けている。
核磁子はラブの周囲を回転する光子であり、２．１８×１０−１５ｍの軌道を回転し、５．０５０８×１０−２７Ｊの磁気を作っている。
陽子のラブは自分のエネルギーの５．０５０８×１０−２７Ｊ÷（１．５０２９×１０−１０Ｊ）≒３．３６×１０−１７　倍のエネルギーを引き留めています。ラブが無ければ光子はその軌道に存在できません。ラブが存在する証拠はここにもあります。
ボーアの核磁子を求める公式は、本発明者の２つの考えが正しい事を証明している。１つは陽子は光子の回転体である事です。１つはラブが存在する事です。
９　ボーア磁子の公式の解明。
上記のボーア核磁子と同じような説明です。
ボーア磁子＝ｅｈ／４πｍｅｃです。　　図２のように、電子のラブの周囲を光子は回転している。電子は光子の回転体である。ラブの質量エネルギー＝全ての光子の質量エネルギー＝電子の質量エネルギーです。
ｍｅ／ｈ＝電子全ての光子のエネルギー÷光子１つのエネルギー＝電子の中の光子の数＝０．５１×１．６０２２×１０−１３Ｊ÷（６．６２６２×１０−３４Ｊ）≒，１．２３３×１０２０個。
４πｃ＝２πｃ×２＝光子が１秒間に走る（回転する）距離×２　但し、半径はとっても小さいので省略されている。
ボーア核子＝ｅｈ／４πｍｅｃ＝−１／（光子は１．２３３×１０２０個×光子が１秒間に走る距離×２）＝−１／（１．２３３×１０２０個の光子が回転する距離×２）＝−１／（１．２３３×１０２０個の光子が１秒間にする仕事＋ラブが１秒間にする仕事）
ボーア磁子は（１．２３３×１０２０個の光子が１秒間にする仕事＋ラブが１秒間にする仕事）分の１の仕事をする光子である。この仕事は磁気を作る仕事である。
ボーア磁子は９．２７４×１０−２４Ｊエネルギーであり、その軌道は１．１×１０−４１Ｊ÷（９．２７４×１０−２４Ｊ）≒１．１８６×１０−１８ｍ　です。
電子のラブはこの光子を引き留めている。
即ち、ボーア磁子はラブの周囲を回転している光子で、１．１８６×１０−１８ｍの軌道を回転し、９．２７４×１０−２４Ｊの磁気を作っている。
電子のラブは自分のエネルギーの９．２７４×１０−２４Ｊ÷（８．１８７×１０−１０Ｊ）≒１．１３３×１０−１０倍のエネルギーを引き留めています。ラブが存在しなければ光子を引き留める事はできません。ラブが存在する証拠がここにもあります。
ボーア核子の公式は、本発明者の２つの考えが正しい事を証明しています。１つは電子は光子の回転体である事です。１つは電子にはラブが存在する事です。
１０　磁波とは何か。
磁気とは一番大きな軌道を回転している光子が排斥され放出した光子である。
１１　核磁気モーメントから、最外殻の軌道を公転するラブの周囲を回転する光子のなかで、一番外側の光子の軌道を求める式について。
核磁子の光子の軌道は２．１８×１０−１５ｍであるから、一番外側の光子の軌道は　核磁気モーメント÷（核スピン×２）×２．１８×１０−１５ｍである。
１２　異常モーメントができる理由。
１Ｈの核スピンは１／２で、核磁気モーメントは２．７９２８５であり、一番外側を回転している光子の軌道は２．７９２８５÷（１／２×２）×２．１８×１０−１５ｍ＝６．０８８４１３×１０−１５ｍです。これは、１Ｈの場合、ラブは一個より無いので、引き合うものが無いため、軌道は大きくなります。ラブの公転軌道が大きいため、光子の回転軌道も大きくなります。核磁子の光子の回転軌道は２．１８×１０−１５ｍですから、１Ｈの光子の回転軌道は核磁子の光子の回転軌道の６．０８８４１３×１０−１５ｍ÷２．１８×１０−１５ｍ＝２．７９２８５倍大きい。最外殻の光子の軌道が大きい事はラブの公転軌道も大きい事です。１Ｈはラブは１個より無いので引き合うものが無いのでラブの公転軌道は大きくなり、光子の回転軌道も大きくなる。
異常磁気モーメントができるのはこのためです。
１３　陽子と陽子、中性子と中性子でなければ磁気の吸収ができないことの証明。
磁気の放出とは光子の排斥であり、磁気の吸収とは光子の付加である。光子は同じエネルギーのものでなければ付加できない。温度が次第に高くなるように、光子のエネルギーも次第に大きくなる。１，２，３，４と段階を踏んで大きくなる。１，３とはならない。それで、光子の付加は１の次には２が付加する。１の次に３は付加できない。光子の付加は、ほとんど同じエネルギーのものでなければ付加できない。陽子のラブの周囲の光子のエネルギーと、中性子のラブの周囲の光子のエネルギーはちがうので、陽子の光子は中性子の光子に付加できない。中性子の光子は陽子の光子に付加できない。陽子と中性子の間で、磁気（＝光子）の放出と吸収のキャッチボールができない理由はエネルギーが異なるからである。
これを証明する。
Ｌｉの場合。
６Ｌｉと７Ｌｉの核スピンと核磁気モーメントから、陽子１個及び中性子１個の核磁気モーメントとそれを作っている光子の軌道を求める。
６Ｌｉの場合。核スピンは１で、核磁気モーメントは０．８２２０５である。最外殻の軌道には、陽子のラブが１個と中性子のラブが１個である。この磁気モーメントは陽子１個の核磁気モーメントと中性子１個の核磁気モーメントの和である。
７Ｌｉの場合。核スピンは３／２で、核磁気モーメントは３．２５６４４である。最外殻の軌道には、陽子のラブが１個と中性子のラブが２個である。この核磁気モーメントは、陽子１個の核磁気モーメントと中性子２個の核磁気モーメントの和である。それで、中性子１個の核磁気モーメントは３．２５６４４−０．８２２０５＝２．４３４３９である。中性子１個の核磁気モーメントを作っている光子の軌道は、２．４３４３９×２．１８×１０−１５ｍ＝５．３０６９７０２×１０−１５ｍである。そして、陽子１個の核磁気モーメントは０．８２２０５−２．４３４３９＝−１．６１２３４である。この陽子１個の核磁気モーメントを作っている光子の軌道は、−１．６１２３４×２．１８×１０−１５ｍ＝−３．５１４９０１２×１０−１５ｍである。
中性子の光子の軌道と陽子の光子の軌道の差は５．３０６９７０２×１０−１５ｍ−−３．５１４９０１２×１０−１５ｍ＝８．８２１８７１４×１０−１５ｍである。このように、核磁気モーメントを作っている陽子の光子の軌道と中性子の光子の軌道の大きさはかけ離れているので、お互い付加できない。
Ｎの場合。
１５Ｎと１４Ｎの核スピンと核磁気モーメントから、陽子１個と中間子１個の核磁気モーメントと、それを作っている光子の軌道を求める。
１５Ｎの核スピンは１／２で、核磁気モーメントは−０．２８３１９です。最外殻には陽子のラブが１個です。それで、この核磁気モーメントは陽子の光子の核磁気モーメントです。この核磁気モーメントを作っている陽子の光子の軌道は−０．２８３１９×２．１８×１０−１５ｍ＝−０．６１７３５４２×１０−１５ｍです。
１４Ｎの核スピンは１で、核磁気モーメントは０．４０３７６です。最外殻には陽子のラブが１個と中性子のラブが１個です。それで中性子の核磁気モーメントは０．４０３７６−−０．２８３１９＝０．６８６９５です。この核磁気モーメントを作っている中性子の光子の軌道は、０．６８６９５×２．１８×１０−１５ｍ＝１．４９７５５１×１０−１５ｍです。
核磁気モーメントを作っている陽子の光子の軌道と中性子の光子の軌道の差は、１．４９７５５１×１０−１５ｍ−−０．６１７３５４２×１０−１５ｍ＝２．１１４９０５２×１０−１５ｍです。それで、核磁気モーメントを作っている陽子の光子と中性子の光子はお互い付加できない。
１４　原子核の軌道エネルギーについて。
原子核の大きさをＲとすると、０．５Ｒの軌道が原子核の最外殻の軌道である。なぜなら、陽子のラブと中性子のラブが公転する軌道の大きさと、その周囲を回転する光子の回転軌道の大きさは等しいからである。この事については、本発明者は２００２年１１月７日に特許出願した。原子核の最外殻の軌道には核スピン×２個のラブが公転している。それで、核スピンが１／２の場合は、最外殻に１個のラブが存在するので、０．５Ｒの軌道エネルギーは１．５×１０−１０Ｊである。核スピンが３／２の場合は、最外殻に３個のラブが存在するので、３×１．５×１０−１０Ｊである。核スピンがＡの場合、０．５Ｒの軌道エネルギーは２Ａ×１．５×１０−１０Ｊである。
１５　原子核と原子の軌道エネルギーはどのようになっているか。
本発明者は２００３年４月１７日に原子の軌道とエネルギーについて考えた事を提出したが、これは０．５×１０ｍの軌道に全ての核子が有るとして計算した。しかし、これは間違いである。
原子核と原子の軌道エネルギーは０．５Ｒの軌道エネルギーによって決まる。核スピンがＡの場合、０．５Ｒの軌道エネルギーは２Ａ×１．５×１０−１０Ｊである。Ｒの軌道エネルギーはＡ×１．５×１０−１０Ｊである。
核スピンが１／２の場合、Ｒの軌道エネルギーは０．７５×１０−１０Ｊである。
核スピンが３／２の場合、Ｒの軌道エネルギーは２．２５×１０−１０Ｊである。
核スピンが５／２の場合、Ｒの軌道エネルギーは３．７５×１０−１０Ｊである。
核スピンが７／２の場合、Ｒの軌道エネルギーは５．２５×１０−１０Ｊである。
核スピンが９／２の場合、Ｒの軌道エネルギーは６．７５×１０−１０Ｊである。
Ｒは各元素によって異なる。
１６　原子核の最内殻の大きさはどのようになっているか。
原子核の大きさを１０−１５ｍとし、核スピンが１／２である場合、０．５×１０−１５ｍの軌道エネルギーは１．５×１０−１０Ｊである。１０−１５ｍの軌道エネルギーは０．７５×１０−１０Ｊである。元素の核子数Ｂとし、最内殻に全核子が存在すると仮定すると、その軌道エネルギーは１．５Ｂ×１０−１０Ｊである。軌道とエネルギーの関係式は軌道がα×１０βｍの場合のネルギーは、０．７５÷α×１０−２５−βＪです。それで、１．５Ｂ×１０−１０Ｊの軌道をα×１０βｍとすると、
０．７５÷α×１０−２５−βＪ＝１．５×Ｂ×１０−１０Ｊで、α＝０．７５÷（１．５×Ｂ）＝１／２Ｂであり、β＝−２５＋１０＝−１５
即ち、１／２Ｂ×１０−１５ｍです。
最内殻に存在する核子数は全核子数より少ないので、最内殻の軌道はこれより大きい。
例えば、１２Ｃの場合、核子数は１２ですから、Ｃの最内殻の軌道は、１÷（２×１２）×１０−１５ｍ≒０．０４１６７×１０−１５ｍより大きい。
１９７Ａｕの場合、最内殻の軌道は、１÷（２×１９７）×１０−１５ｍ＝０．００２５×１０−１５ｍより大きい。
２３８Ｕの場合、最内殻の軌道は、１÷（２×２３８）×１０−１５ｍ＝０．００２１×１０−１５ｍより大きい。
１７　量子飛躍する時、電子は原子核に落下しないのはどうしてか。
電子のラブは一定のエネルギーがあり、それ以上のエネルギーにならないからです。ラブは一定のエネルギーを持ち、そのエネルギーに合った軌道を公転するからです。
【０００６】
【発明の効果】
本発明によって次のことが理解できた。
磁気の吸収は陽子と陽子、中性子と中性子の間で無ければできない理由が、光子の回転軌道が違うからであると理解できた。光子の吸収は回転方向によるのではなく、回転軌道の大きさによるのであると理解できた。ボーア核磁子、ボーア磁子の公式の解明により、陽子と電子は光子でできているヒとが証明できた。陽子と電子にはラブが存在する事が証明できた。核磁気モーメントから最外殻のラブの周囲を回転する光子の中で外側の光子の回転軌道を計算する式ができた。核磁子の異常モーメントができる理由は、１Ｈの場合、周りにラブが存在しないので、引き合うラブが居ないので、公転が大きくなっているためであると理解できた。原子核と原子のマップができた。原子核の最内殻のおよその大きさが理解できた。量子飛躍する時、電子が原子核に落下しないのは、ラブの質量エネルギーが一定であり、それ以上のエネルギーにはならないからです。
【図面の簡単な説明】
【図１】核磁子とはラブの周囲を回転している外側の光子であり、エネルギーは５．０５０８×１０−２７Ｊであり、２．１８×１０−１５ｍの軌道を回転する光子である。
【図２】ボーア核子とはラブの周囲を回転している外側の光子であり、エネルギーは９．２７４×１０−２４Ｊであり、１．１８６×１０−１８ｍの軌道を回転する光子である。ｅｈ／４πｍｅｃ＝−１／（回転している光子の仕事＋公転しているラブの仕事）である。
【図３】陽子の磁気は陽子だけに吸収され、中性子の磁気は中性子だけに吸収される。これは陽子の光子の軌道と、中性子の光子の軌道の大きさに差があるからです。
６Ｌｉの場合、陽子の光子の軌道の大きさは−３．５１４９×１０−１５ｍであり、中性子の光子の軌道の大きさは＋５．３０７×１０−１５ｍであり、この差は８．８２１９×１０−１５ｍである。
【図４】原子核の大きさを１０−１５ｍとし、１／２スピンである場合の原子と原子核の軌道エネルギー。
【符号の説明】
１　核磁子　　　２　核磁子の光子の軌道　　　３　陽子のラブ
４　核子のラブの公転軌道　　　５　ボーア磁子　　　６　ボーア磁子の軌道
７　電子のラブ　　　８　電子のラブの公転軌道　　　９　核子のラブ
１０　中性子のラブ　　　１１　陽子の外側の光子
１２　陽子の外側の光子の軌道　　　１３　中性子の外側の光子
１４　中性子の外側の光子の軌道　　　１５　光子の回転軌道
【図１】
2004032996.tif 000003
【図２】
2004032996.tif 000004
【図３】
2004032996.tif 000005
【図４】
2004032996.tif 000006